(57)【要約】【課題】薄い天然石材を形成しながら石材の保持機構に充分な信頼性を確保することで、総体としての重量を軽くすると共に製造コストの低減を図ることができる天然石材打込みＰＣ板と打込み用天然石材を提供する。【解決手段】本発明による天然石材打込みＰＣ板１は、天然石材２のＰＣコンクリート版側の少なくとも表面に所定数の穿孔５を設けて成る天然石材２と天然石材２の穿孔内部に装備される繊維状保持部材４及び繊維状保持部材４を内部に固着して天然石材と一体に構成されるＰＣコンクリート版３から成っており、天然石材を薄く構成すると共に信頼性を確保することで総体重量を軽くすると共に製造コストの低減を図っている。【選択図】  図１
2004162462.tif 000002
【特許請求の範囲】
【請求項１】
ＰＣコンクリート版に天然石材を定着させる天然石材打込みＰＣ板であって、天然石材のＰＣコンクリート版側の少なくとも表面に所定数の穿孔を設けて成る天然石材、該天然石材の穿孔内部に装備される繊維状保持部材及び該繊維状保持部材を内部に固着して天然石材と一体に構成されるＰＣコンクリート版から成る天然石材打込みＰＣ板。
【請求項２】
請求項１に記載の天然石材打込みＰＣ板に用いる天然石材であって、ＰＣコンクリート版側の表面に所定数の穿孔を設け、該穿孔の内部に繊維状保持部材を装備して成る打込み用天然石材。
【請求項３】
請求項１に記載の天然石材打込みＰＣ板に用いる天然石材であって、天然石材の外縁側面とＰＣコンクリート版側の表面に外縁側面に沿って設けられた溝とに亘って所定数の穿孔を設け、該穿孔内に外縁側面と溝とに挿通させて繊維状保持部材を装備して成る打込み用天然石材。
【発明の詳細な説明】
【０００１】
【発明の属する技術分野】
本発明は、天然石材打込みＰＣ板と打込み用天然石材に関し、特に、総重量を軽くして品質の向上とコスト低減が図れる天然石材打込みＰＣ板とこのＰＣ板に用いる天然石材に関する。
【０００２】
【従来の技術】
石材は、大昔から建造物の構造材として使用されてきており、表面仕上げが割石肌から本磨き、バーナー仕上げ等と多彩であること、色調も黒色系、茶系、白色系と多種類に及ぶことや表現によって重厚さから軽快さまでその表情が大きく変化できること等から設計者にとっても魅力ある材料であり、近代になっても外装仕上げ材の一つとして花崗岩系を主にした天然石材打込みＰＣ板に移行しながら建物の表面を覆っている。
【０００３】
しかして、天然石材打込みＰＣ板は、花崗岩等の石材裏面にドリルで斜め方向に穴を開け、コンクリートの水分が浸透しないように裏面処理を行った後に、ステンレス製のシャーコネクターを取り付けているが、１枚の石材に取り付けるシャーコネクターの本数は、配置のバランスや石材との引張り強度によって３本以上に決められている。
【０００４】
又、石材の厚さは、天然石材打込みＰＣ板の性能として耐風圧や耐震性が求められることやシャーコネクターが４５度の角度で引っ掛かるようにしているために２５ｍｍ以上は必要としているが、石材表面から見てシャーコネクターの穴位置に濡れ色が出てしまうような不具合を防止することと、穿孔をコンピューター制御の機械で行わずにドリルを用いた手作業で行う場合もあることから、一般的には３０ｍｍが多くなっている。
【０００５】
従来の天然石材打込みＰＣ板についての基本的な例としては、図３に部分切り欠きの斜視図（ａ）と断面図（ｂ）で示すように、天然石材打込みＰＣ板２０は、天然石材２１をＰＣコンクリート版２２にステンレス製のシャーコネクター２３とエポキシ樹脂等の接着材２４とで貼設することで構成している。
【０００６】
シャーコネクター２３は、部分切り欠きで示すように３０ｍｍ厚の天然石材２１に４５度の角度で引っ掛かけており、シャーコネクター２３の突出側をＰＣコンクリート版２２に埋設させることで天然石材２１を堅固に固着させている。
【０００７】
そして、天然石材打込みＰＣ板２０は、所定数の埋設アンカー２５等を設けており、１次ファスナー２６及び２次ファスナー２７を用いることによって、それぞれの埋設アンカー２５を躯体側鉄骨２８に取り付けて天然石材打込みＰＣ板２０を固定している。
【０００８】
しかるに、天然石材打込みＰＣ板２０としては、上述したような厚さの石材を数多く貼設していることやＰＣコンクリート版２２との取り付けにシャーコネクター２３を用いていること等によって、その重量が重くなることや結果的にコスト高になることの問題点が指摘されていた。
【０００９】
【発明が解決しようとする課題】
本発明は、上記の状況に鑑みてその改善案を提案するものであり、薄い天然石材を形成しながら石材の保持機構に充分な信頼性を確保することで、総体としての重量を軽くすると共に製造コストの低減を図ることができる天然石材打込みＰＣ板と打込み用天然石材の提供を目的にしている。
【００１０】
【課題を解決するための手段】
本発明による天然石材打込みＰＣ板は、ＰＣコンクリート版に天然石材を定着させる天然石材打込みＰＣ板において、天然石材のＰＣコンクリート版側の少なくとも表面に所定数の穿孔を設けて成る天然石材と天然石材の穿孔内部に装備される繊維状保持部材及び繊維状保持部材を内部に固着して天然石材と一体に構成されるＰＣコンクリート版から成っており、天然石材を薄く構成すると共に信頼性を確保することで総体重量を軽くすると共に製造コストの低減を図っている。
【００１１】
又、本発明による打込み用天然石材は、上記天然石材打込みＰＣ板に用いる天然石材であって、ＰＣコンクリート版側の表面に所定数の穿孔を設けて穿孔の内部に繊維状保持部材を装備しており、天然石材を薄くして信頼性の高い保持部材を構成することで重量を軽くして製造コストの低減を図っている。
【００１２】
さらに、本発明による打込み用天然石材は、上記天然石材打込みＰＣ板に用いる天然石材であって、天然石材の外縁側面とＰＣコンクリート版側の表面に外縁側面に沿って設けられた溝とに亘って所定数の穿孔を設け、穿孔内に外縁側面と溝とに挿通させて繊維状保持部材を装備しており、天然石材を同様に薄くして信頼性の高い保持部材を構成することで重量を軽くして製造コストの低減を図っている。
【００１３】
【発明の実施の形態】
本発明による天然石材打込みＰＣ板は、天然石材のＰＣコンクリート版側の少なくとも表面に所定数の穿孔を設けて成る天然石材と天然石材の穿孔内部に装備される繊維状保持部材及び該繊維状保持部材を内部に固着して天然石材と一体に構成されるＰＣコンクリート版から成っている。
以下に、本発明による天然石材打込みＰＣ板の実施の形態を図面に基づいて詳細に説明する。
【００１４】
図１は、本発明による天然石材打込みＰＣ板の関連部分のみについての実施の形態を示しており、図１（ａ）は、天然石材打込みＰＣ板の斜視図であり、図１（ｂ）は、図１（ａ）における（ｂ）−（ｂ）矢視の断面図である。
【００１５】
本実施の形態における天然石材打込みＰＣ板１は、図１（ａ）で示すように裏面処理した花崗岩等の天然石材２をＰＣコンクリート版３の表面に貼設している。
【００１６】
そして、ＰＣコンクリート版３は、従来例と同様に必要な埋設アンカー等を設けており、天然石材２をＰＣコンクリート版３とはエポキシ樹脂等の接着材によって接合されているが、以上のようなＰＣコンクリート版３の細部等については、本発明と直接的に関連していないことからその説明を省略している。
【００１７】
しかるに、本発明による打込み用天然石材は、ＰＣコンクリート版側の表面に所定数の穿孔を設けて穿孔の内部に繊維状保持部材を装備しており、天然石材を薄くして信頼性の高い保持部材を構成することで重量を軽くして製造コストの低減を図っている。
【００１８】
打込み用天然石材の実施の形態を示す天然石材２は、厚さ１５ｃｍの天然石材を形成して軽量化を図りながら、所定数の繊維状保持部材４を狭い間隔で縦横に植設することで固着と反りの問題に対処しており、天然石材打込みＰＣ板１は、天然石材２を多くの繊維状保持部材４によってＰＣコンクリート版３の表面に定着させることで、単位面積当たりの支持重量を軽減すると共に天然石材２に対する保持力を増加させて、そりの防止と装備の信頼性を確立している。
【００１９】
しかして、天然石材２の繊維状保持部材４は、図１（ｂ）の断面図が示すように炭素繊維等の耐久性に優れた繊維材から構成されているもので、天然石材２の裏面に約１０ｍｍ程度の深さに形成された穿孔５に、繊維状保持部材４の毛根部分に相当する一方端を植設させながら、接着材６によって固着されている。
【００２０】
さらに、天然石材２に設けた繊維状保持部材４は、天然石材打込みＰＣ板の成型に際して、天然石材２をＰＣコンクリート版３の表面に配置すると同時に、その他方端をＰＣコンクリート版３中に一体に埋設させるものであり、これによって、単位重量が軽くなっている天然石材２をＰＣコンクリート版３の表面に定着させるのに、その定着強度を堅固にすることを可能にしており、天然石材打込みＰＣ板１に求められている性能の耐風圧や耐震性及び反りの防止等を確立することで、天然石材打込みＰＣ板１の品質を確保している。
【００２１】
又、本発明による他の打込み用天然石材は、天然石材の外縁側面とＰＣコンクリート版側の表面に外縁側面に沿って設けられた溝とに亘って所定数の穿孔を設け、穿孔内に外縁側面と溝とに挿通させて繊維状保持部材を装備しており、天然石材を同様に薄くして信頼性の高い保持部材を構成することで重量を軽くして製造コストの低減を図っている。
【００２２】
図２は、本発明による他の打込み用天然石材の実施形態を示しており、図２（ａ）は、打込み用天然石材の裏面を見せた斜視図であり、図２（ｂ）は、図２（ａ）の（ｂ）−（ｂ）断面図である。
【００２３】
本実施の形態における打込み用天然石材１０は、厚さ２５ｍｍの花崗岩等から成る天然石材１１で構成されており、天然石材１１のＰＣコンクリート版３側の表面１２には、その外縁１３に沿わせた形態で所定幅の溝１４を形成している。
【００２４】
外縁１３と溝１４との間には、所定数の穿孔１５が配置されており、各穿孔１５の内部には、耐久性に優れた複数本の炭素繊維から構成されている繊維状保持部材１６が挿通されている。
【００２５】
本実施の形態における各穿孔１５の孔径は、５ｍｍであって、溝１４は、その深さを約１５ｍｍしているが、天然石材１１の厚さは、溝１４の部分を除いて大部分が２５ｍｍの状態にあるので、その厚さを制限することで重量の低減を図りながら、天然石材１１の反りも防止している。
【００２６】
本実施の形態における打込み用天然石材１０の定着は、所定長に設定された繊維状保持部材１６を前述した実施の形態と同様にＰＣコンクリート版３中に埋設させながら成型することで行われるが、単位重量の軽くなっている天然石材１１をＰＣコンクリート版３の表面に定着させるのには、繊維状保持部材１６の束数を多くすることによって、その定着強度を堅固にすることを可能にできるものである。
【００２７】
本実施の形態では、以上のような打込み用天然石材１０の定着によって、天然石材打込みＰＣ板１に求められている性能の耐風圧や耐震性及び反りの防止等を確立しており、これによって天然石材打込みＰＣ板１の品質を確保している。
【００２８】
又、本実施の形態における打込み用天然石材１０を、さらに重量低減させる実施の形態としては、天然石材１１に形成した溝１４を変形させることで可能になるものである。
【００２９】
即ち、天然石材１１の溝１４によって囲まれている範囲を、厚さ１０ｍｍ程度に削除した凹部としてお盆状に形成するものであり、天然石材１１のそりの防止と強度の確保は、天然石材１１の外縁１３に残存されている井桁部によって分担するものであり、以上のように構成することで削除した凹部部分だけの重量を低減することで天然石材１１の総重量を減じるものである。
【００３０】
以上の各実施形態の詳細な説明で明らかにしたように、本発明による天然石材打込みＰＣ板は、ＰＣコンクリート版に天然石材を定着させる天然石材打込みＰＣ板において、天然石材のＰＣコンクリート版側の少なくとも表面に所定数の穿孔を設けて成る天然石材と天然石材の穿孔内部に装備される繊維状保持部材及び繊維状保持部材を内部に固着して天然石材と一体に構成されるＰＣコンクリート版から成っており、天然石材を薄く構成すると共に信頼性を確保することで総体重量を軽くすると共に製造コストの低減を図っている。
【００３１】
又、本発明による打込み用天然石材は、ＰＣコンクリート版側の表面に所定数の穿孔を設けて穿孔の内部に繊維状保持部材を装備したり、天然石材の外縁側面とＰＣコンクリート版側の表面に外縁側面に沿って設けられた溝とに亘って所定数の穿孔を設け、穿孔内に外縁側面と溝とに挿通させて繊維状保持部材を装備しており、天然石材を同様に薄くして信頼性の高い保持部材を構成することで重量を軽くして製造コストの低減を図っている。
【００３２】
以上、本発明による天然石材打込みＰＣ板と打込み用天然石材について、上記実施の形態に基づいて詳細に説明したが、本発明は、これらの実施の形態に何ら限定されるものでなく、天然石材の種類や具体的な構造に関して、発明の主旨を逸脱しない範囲において各種の変更が可能であることは当然のことである。
【００３３】
【発明の効果】
本発明による天然石材打込みＰＣ板は、ＰＣコンクリート版に天然石材を定着させる天然石材打込みＰＣ板において、天然石材のＰＣコンクリート版側の少なくとも表面に所定数の穿孔を設けて成る天然石材と天然石材の穿孔内部に装備される繊維状保持部材及び繊維状保持部材を内部に固着して天然石材と一体に構成されるＰＣコンクリート版から成っていることで、天然石材を薄く構成すると共に信頼性を確保することによって総体重量を軽くすると共に製造コストの低減を図れる効果を奏している。
【００３４】
又、本発明による打込み用天然石材は、上記天然石材打込みＰＣ板に用いる天然石材であって、ＰＣコンクリート版側の表面に所定数の穿孔を設けて穿孔の内部に繊維状保持部材を装備しており、天然石材を薄くして信頼性の高い保持部材を構成しながら重量を軽くして製造コストの低減を図れる効果を奏している。
【００３５】
さらに、本発明による打込み用天然石材は、上記天然石材打込みＰＣ板に用いる天然石材であって、天然石材の外縁側面とＰＣコンクリート版側の表面に外縁側面に沿って設けられた溝とに亘って所定数の穿孔を設け、穿孔内に外縁側面と溝とに挿通させて繊維状保持部材を装備しているので、同様に天然石材を薄くして信頼性の高い保持部材を構成しながら重量を軽くして製造コストの低減を図れる効果を奏している。
【図面の簡単な説明】
【  図１】本発明による天然石材打込みＰＣ板及び本発明による打込み用天然石材の実施の形態図
【  図２】本発明による打込み用天然石材における他の実施形態図
【  図３】従来の天然石材打込みＰＣ板の図
【符号の説明】
１  天然石材打込みＰＣ板、  ２、  天然石材、  ３、ＰＣコンクリート、
４、繊維状保持部材、  ５、  穿孔、  ６  接着材、  １０  天然石材、
１１  天然石材、  １２  表面、  １３  外縁、  １４  溝、  １５  穿孔、
１６  繊維状保持部材、  ２０  天然石材打込みＰＣ板、  ２１  天然石材、
２２  ＰＣコンクリート版、  ２３  シャーコネクター、  ２４  接着材、
２５  埋設アンカー、  ２６  １次ファスナー、  ２７  ２次ファスナー、
２８  躯体側鉄骨、
【図１】
2004162462.tif 000003
【図２】
2004162462.tif 000004
【図３】
2004162462.tif 000005
【手続補正書】
【提出日】平成14年12月6日(2002.12.6)
【手続補正１】
【補正対象書類名】明細書
【補正対象項目名】０００４
【補正方法】変更
【補正の内容】
【０００４】
又、石材の厚さは、天然石材打込みＰＣ板の性能として耐風圧や耐震性が求められることやシャーコネクターが４５度の角度で引っ掛かるようにしているために２５ｍｍ以上は必要としているが、石材表面から見てシャーコネクターの穴位置に濡れ色が出てしまうような不具合を防止することと、穿孔をコンピューター制御の機械で行わずにドリルを用いた手作業で行う場合もあることから、一般的には３０ｍｍが多くなっている。
【特許文献１】
特開２００１−２２７１３２号公報（段落［００１７］〜［００２２］の欄、図１、）
【特許文献２】
特開平０９−７８７９５号公報（段落［０００３］の欄、図５、）
【手続補正２】
【補正対象書類名】明細書
【補正対象項目名】０００５
【補正方法】変更
【補正の内容】
【０００５】
従来の天然石材打込みＰＣ板についての基本的な例としては、上記文献の他にも、図３に部分切り欠きの斜視図（ａ）と断面図（ｂ）で示すように、天然石材打込みＰＣ板２０は、天然石材２１をＰＣコンクリート版２２にステンレス製のシャーコネクター２３とエポキシ樹脂等の接着材２４とで貼設することで構成している。


【手続補正３】
【補正対象書類名】明細書
【補正対象項目名】００１８
【補正方法】変更
【補正の内容】
【００１８】
打込み用天然石材の実施の形態を示す天然石材２は、厚さ１５ｍｍの天然石材を形成して軽量化を図りながら、所定数の繊維状保持部材４を狭い間隔で縦横に植設することで固着と反りの問題に対処しており、天然石材打込みＰＣ板１は、天然石材２を多くの繊維状保持部材４によってＰＣコンクリート版３の表面に定着させることで、単位面積当たりの支持重量を軽減すると共に天然石材２に対する保持力を増加させて、そりの防止と装備の信頼性を確立している。